(57)【要約】【課題】設置状況が変化したことを知ることができるようにする。【解決手段】情報端末は、所定の時間毎に情報を送信し、スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる。本技術は、ホーム通信システムに適用することができる。【選択図】図６
2020071496.tif 000002
【特許請求の範囲】
【請求項１】
所定の時間毎に情報を送信する送信部と、
スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部と
を備える情報端末。
【請求項２】
前記制御部は、前記スリープ状態からの復帰後、前記異常状態が検出された場合、前記フラグを前記異常状態を検出したことを示すようにセットし、前記スリープ状態に遷移させる
請求項１に記載の情報端末。
【請求項３】
前記制御部は、前記スリープ状態からの復帰後、前記異常状態が検出されない場合、前記フラグが示す情報に応じて、前記正常時に送信する情報または前記異なる情報を送信させ、前記スリープ状態に遷移させる
請求項２に記載の情報端末。
【請求項４】
前記異常状態を検出する異常検出部をさらに備え、
前記異常検出部は、固定面に接していた筐体が前記固定面から外れたことを検出するスイッチを有し、前記筐体が前記固定面から外れたことを前記スイッチが検出したときに前記異常状態を検出する
請求項３に記載の情報端末。
【請求項５】
前記筐体を前記固定面に接着する接着部をさらに備え、
前記接着部は、前記スイッチを取り囲むように設置される
請求項４に記載の情報端末。
【請求項６】
前記制御部は、前記スリープ状態からの復帰後、前記異常状態を検出したことを示す場合、前記フラグを前記異常状態を検出していないことを示すようにセットし、前記正常時に送信する情報とは異なる情報を送信させてから、前記正常時に送信する情報を送信させ、前記スリープ状態に遷移させる
請求項１に記載の情報端末。
【請求項７】
前記制御部は、前記スリープ状態からの復帰後、前記異常状態を検出していないことを示す場合、前記正常時に送信する情報を送信させ、前記スリープ状態に遷移させる
請求項６に記載の情報端末。
【請求項８】
前記異常状態を検出したとき、電源をオフにする異常検出部をさらに備え、
前記異常検出部は、固定面に接していた筐体が前記固定面から外れたときにオフ状態となるスイッチを有し、前記スイッチがオフ状態になったときに異常を検出して前記電源をオフにし、前記スイッチがオン状態になったときに、前記電源をオンにする
請求項７に記載の情報端末。
【請求項９】
前記筐体を前記固定面に接着する接着部をさらに備え、
前記接着部は、前記スイッチを取り囲むように設置される
請求項８に記載の情報端末。
【請求項１０】
測定を行うセンサ部をさらに備え、
前記送信部は、前記正常時に送信する情報として、前記測定により得られたデータに基づいて生成された情報を送信する
請求項１に記載の情報端末。
【請求項１１】
所定の時間毎に情報を送信する送信部と、
スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部と
して、コンピュータを機能させるプログラム。
【請求項１２】
所定の時間毎に情報を送信する送信部と、スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部とを備える情報端末から送信されてくる前記正常時に送信する情報または前記異なる情報を受信する受信部と、
少なくとも前記異なる情報をユーザに通知させる通知制御部と
を備える情報処理装置。
【請求項１３】
所定の時間毎に情報を送信する送信部と、スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部とを備える情報端末から送信されてくる前記正常時に送信する情報または前記異なる情報を受信する受信部と、
少なくとも前記異なる情報をユーザに通知させる通知制御部と
して、コンピュータを機能させるプログラム。
【発明の詳細な説明】
【技術分野】
【０００１】
本技術は、情報端末、情報処理装置、およびプログラムに関し、特に、設置状況が変化したことを知ることができるようにした情報端末、情報処理装置、およびプログラムに関する。
【背景技術】
【０００２】
マイクロプロセッサの性能の向上、低電力技術の向上、および通信技術の向上により、電池で駆動する小型軽量のＩｏＴ(Internet of Things)デバイスが近年実用化されつつある。
【０００３】
設置者・設置場所の自由度を考えると、ＩｏＴデバイスの設置方法としては、以下の理由により両面テープや粘着剤を用いた貼り付け型の方法が好適である（特許文献１参照）。
【０００４】
・配線工事が不要のため、専門業者ではなく、ユーザが手軽に設置可能である。
・ビス止めによる設置は固定面の素材や固定面の特性などの理由により困難な場合がある。固定面の素材としては、例えば、金属やガラスである場合、穴を開けられないという理由がある。固定面の特性としては、浴室や外壁など防水性を維持するために穴を開けられないという理由がある。ただし、軽量化のためビス止めは必須ではなくなる。
【０００５】
また、このようなＩｏＴデバイスは、メンテナンスコストの低減のため、長期間、例えば、１０年程度の電池寿命までメンテナンスフリーで稼動することが期待される。
【０００６】
しかしながら、貼り付け型の設置方法は、長期間の設置による粘着剤の劣化や、他の物体などが当たったことによる衝撃、またはユーザの不適切な設置などではがれるというように設置状況が変化する恐れがある。
【先行技術文献】
【特許文献】
【０００７】
【特許文献１】特開２０１６−２１２７３９号公報
【発明の概要】
【発明が解決しようとする課題】
【０００８】
ＩｏＴデバイスは、設置者が日常的に目視できない遠隔地などに設置されることが多い。したがって、ＩｏＴデバイスの設置状況が変化したとしても、設置者が気付かないことがある。
【０００９】
本技術はこのような状況に鑑みてなされたものであり、設置状況が変化したことを知ることができるようにするものである。
【課題を解決するための手段】
【００１０】
本技術の一側面の端末は、所定の時間毎に情報を送信する送信部と、スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部とを備える。
【００１１】
本技術の一側面においては、所定の時間毎に情報が送信される。また、スリープ状態からの復帰後、異常状態を検出したか否かを示すフラグが、前記異常状態を検出していないことを示す場合、設置の正常時に送信する情報が送信され、前記異常状態を検出したことを示す場合、前記正常時に送信する情報とは異なる情報が送信される。
【００１２】
本技術の他の側面の情報処理装置は、所定の時間毎に情報を送信する送信部と、スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部とを備える端末から送信されてくる前記正常時に送信する情報または前記異なる情報を受信する受信部と、少なくとも前記異なる情報をユーザに通知させる通知制御部とを備える。
【００１３】
本技術の他の側面においては、所定の時間毎に情報を送信する送信部と、スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部とを備える端末から送信されてくる前記正常時に送信する情報または前記異なる情報が受信され、少なくとも前記異なる情報がユーザに通知される。
【図面の簡単な説明】
【００１４】
【図１】本技術のホーム通信システムの例を示す図である。
【図２】センサデバイスの設置の正常時と異常時の例を示す図である。
【図３】センサデバイスの構成例を示すブロック図である。
【図４】センサデバイスの設置例を示す図である。
【図５】ホームサーバの構成例を示すブロック図である。
【図６】センサデバイスの処理を説明するフローチャートである。
【図７】センサデバイスの動作の例を示すタイミングチャートである。
【図８】ホームサーバの処理を説明するフローチャートである。
【図９】センサデバイスの設置の正常時と異常時の他の例を示す図である。
【図１０】センサデバイスの他の構成例を示すブロック図である。
【図１１】図１０のセンサデバイスの処理を説明するフローチャートである。
【図１２】図１０のセンサデバイスの動作の例を示すタイミングチャートである。
【図１３】図１０のセンサデバイスの動作の他の例を示すタイミングチャートである。
【図１４】本技術に適用されるセンサと特徴の例を示す図である。
【図１５】コンピュータのハードウエア構成例を示すブロック図である。
【発明を実施するための形態】
【００１５】
以下、本技術を実施するための形態について説明する。説明は以下の順序で行う。
１．第１の実施の形態（はがれ検出機構）
２．第２の実施の形態（電源のスイッチを兼ねるはがれ検出スイッチ）
３．その他
【００１６】
＜１．第１の実施の形態＞
＜ホーム通信システムの構成例＞
図１は、本技術の一実施の形態に係るホーム通信システムの構成例を示すブロック図である。
【００１７】
図１のホーム通信システムは、センサデバイス１１−１乃至１１−Ｎ、およびホームサーバ１２が、無線ＬＡＮまたはインターネットなどのネットワーク１３を介して接続されることによって構成される。ホーム通信システムは、家庭内などに設置されるシステムである。
【００１８】
センサデバイス１１−１乃至１１−Ｎは、１つ、または複数のセンサを備えるＩｏＴ(Internet of Things)デバイスの端末である。センサデバイス１１−１乃至１１−Ｎは、例えば、カメラ、マイクロフォン、加速度センサ、角速度センサ、地磁気センサ、照度センサ、温度センサ、湿度センサ、気圧センサ、測位センサなどの各種のセンサを備える。
【００１９】
以下、適宜、センサデバイス１１−１乃至１１−Ｎをそれぞれ区別する必要がない場合、まとめてセンサデバイス１１という。
【００２０】
センサデバイス１１は、所定の時間毎に測定を行い、測定結果を表すセンサデータをホームサーバ１２に送信する。
【００２１】
＜センサデバイスの設置の正常時と異常時＞
図２は、センサデバイス１１の設置の正常時と異常時の例を示す図である。
【００２２】
センサデバイス１１は、設置の正常時、図２のＡに示されるように、両面テープなどの接着部材を用いて、筐体の接着面を、室内の壁などの固定面に貼り付けて設置される。このような設置の正常時、センサデバイス１１は、上述したセンサデータを送信する。
【００２３】
センサデバイス１１は、設置の異常時、図２のＢに示されるように、固定面から筐体がはがれ、設置の状態が変化する。すなわち、センサデバイス１１は、固定面からの筐体のはがれを検出した場合、センサデータとは異なる情報として、設置の異常を通知するデータである設置異常通知データをホームサーバ１２に送信する。このような設置の異常時、センサデバイス１１は、設置異常通知データを送信する。
【００２４】
ホームサーバ１２は、センサデバイス１１から送信されるセンサデータまたは設置異常通知データを受信する。ホームサーバ１２は、必要に応じて、センサデータを用いて解析したり、解析結果を表示したりする。ホームサーバ１２は、設置異常通知データに基づいて、センサデバイス１１の設置の異常をユーザに通知する。設置の異常は、ＬＥＤの点滅などによりユーザに通知される。
【００２５】
＜センサデバイスの構成例＞
図３は、センサデバイス１１の構成例を示すブロック図である。
【００２６】
センサデバイス１１は、センサ３１、はがれ検出機構３２、および処理部３３から構成される。
【００２７】
センサ３１は、処理部３３からの指示に従って測定を行い、センサデータを処理部３３に出力する。
【００２８】
はがれ検出機構３２は、筐体が固定面からはがれたことを検出した場合、はがれ検出信号を処理部３３に出力する。はがれ検出信号は、筐体が固定面からはがれたことを検出したことを示す。
【００２９】
処理部３３は、センサインターフェイス４１、プロセッサ４２、通信処理部４３、割り込みコントローラ４４、タイマ４５、および電源制御部４６から構成される。
【００３０】
センサインターフェイス４１は、センサ３１から供給されるセンサデータをプロセッサ４２に出力する。
【００３１】
プロセッサ４２は、所定のプログラムを実行することによって各種の演算処理または各部の動作制御などを行い、センサデバイス１１における中心的な処理装置として動作する。
【００３２】
例えば、プロセッサ４２は初期化処理を行う。初期化処理は、タイマ４５に対し、割り込みが定期的に発生するように、割り込みの周期を設定する処理である。
【００３３】
プロセッサ４２は、初期化処理後、自身が管理する異常検出フラグをクリアする。異常検出フラグは、異常状態を検出したことを示すフラグである。異常検出フラグがセットされている場合、そのことは、異常状態を検出したことを示す。
【００３４】
プロセッサ４２は、異常検出フラグのクリアの後、スリープ信号を電源制御部４６に出力し、自身の状態をスリープ状態とする。スリープ状態は低消費電力の状態である。プロセッサの状態には、スリープ状態と通常状態がある。通常状態は、各種の演算処理や各部の動作制御などの動作による通常の消費電力の状態である。
【００３５】
プロセッサ４２は、スリープ状態時、割り込み信号が割り込みコントローラ４４から供給されることに応じてスリープ状態から復帰する。プロセッサ４２は、スリープ状態から復帰した後、復帰要因を確認する。
【００３６】
プロセッサ４２は、復帰要因がタイマ４５による割り込みの場合、異常検出フラグを確認する。
【００３７】
プロセッサ４２は、異常検出フラグがセットされていない場合、すなわち、異常状態を検出していないことを異常検出フラグが示している場合、センサデータを送信する通常通信処理を行う。
【００３８】
具体的には、プロセッサ４２は、センサインターフェイス４１を制御して、センサ３１による測定対象の測定を行わせる。プロセッサ４２は、センサインターフェイス４１から供給されるセンサデータを、容量がより小さくなるように加工する。プロセッサ４２は、加工後のセンサデータを通信処理部４３に出力し、ホームサーバ１２に対して送信させる。
【００３９】
プロセッサ４２は、異常検出フラグがセットされている場合、すなわち、異常状態を検出したことを異常検出フラグが示している場合、設置異常通知データを送信する異常通知通信処理を行う。プロセッサ４２は、加工後のセンサデータの代わりに、設置異常通知データを通信処理部４３に出力し、ホームサーバ１２に対して送信させる。
【００４０】
通信処理部４３による送信の完了後、プロセッサ４２は、スリープ信号を電源制御部４６に再び出力し、スリープ状態となる。
【００４１】
一方、プロセッサ４２は、復帰要因がはがれ検出信号による場合、異常検出フラグをセットする。後述するように、はがれ検出信号がはがれ検出機構３２から出力された場合、割り込み信号が割り込みコントローラ４４から供給される。プロセッサ４２は、異常検出フラグをセットした後、スリープ信号を電源制御部４６に出力し、自身の状態をスリープ状態とする。
【００４２】
通信処理部４３は、プロセッサ４２から供給されたセンサデータまたは設置異常通知データをホームサーバ１２に送信する。なお、情報の送信機能だけを通信処理部４３が有するようにしてもよいし、ホームサーバ１２から送信される情報を受信する受信機能をも通信処理部４３が有するようにしてもよい。
【００４３】
割り込みコントローラ４４は、タイマ４５が割り込みを発生することに応じて、または、はがれ検出機構３２からはがれ検出信号が供給されることに応じて、割り込み信号をプロセッサ４２と電源制御部４６に出力する。
【００４４】
タイマ４５は、プロセッサ４２により設定された周期で、割り込みコントローラ４４に対して割り込みを発生させる。
【００４５】
電源制御部４６は、電源の投入後、プロセッサ４２に対して電源を供給する。例えば、電源制御部４６は、割り込みコントローラ４４から割り込み信号が供給されることに応じて、プロセッサ４２が通常状態で動作可能な電力を供給する。また、電源制御部４６は、プロセッサ４２からスリープ信号が供給されることに応じて、プロセッサ４２がスリープ状態を維持するために最小限の電力を供給する。
【００４６】
なお、図３の構成のセンサデバイス１１に、電源の再投入以外の方法により、異常検出フラグをクリアする機構を設けるようにしてもよい。センサデバイス１１に、電源の投入後、設置完了を待つ機構を設けるようにしてもよい。また、図３において、電源制御部４６は、電力の制御のみを行っているが、合わせてクロックの制御を行ってもよい。
【００４７】
図４は、センサデバイス１１の設置例を示す図である。
【００４８】
図４のＡは、筐体５１の接着面ａを、壁などの固定面ｂに対して接着することによってセンサデバイス１１を設置する例を示している。
【００４９】
図４のＡに示されるように、筐体５１の接着面ａの中央部には、はがれ検出機構３２が有するスイッチ５３が突出するように設けられている。スイッチ５３は、固定面ｂに接しているときにオン状態になり、固定面ｂから離れたときにオフ状態になる構造のプッシュスイッチである。図４のＡに示される状態にある場合、スイッチ５３はオン状態となる。
【００５０】
図４のＢは、接着面ａの外観を示している。
【００５１】
図４のＢに示されるように、筐体５１の接着面ａには、接着部材５２が環状に設けられる。接着部材５２がスイッチ５３を取り囲むように設けられ、また、接着部材５２が固定面ｂに密着することにより、設置された状態にあるときには、スイッチ５３が外部に露出することがない。
【００５２】
したがって、スイッチ５３が埃や水などの外部の影響を受けないため、長期間安定してはがれ検出を行うことができる。
【００５３】
なお、スイッチ５３は、プッシュスイッチに限らず、リードスイッチまたは水銀スイッチなどで構成されてもよい。スイッチ５３は、固定面から離れたことを検出できればよい。固定面から離れたことを検出できるのであれば、離れたときのスイッチ５３の状態は、オン状態であってもオフ状態であってもよい。
【００５４】
＜ホームサーバの構成例＞
図５は、ホームサーバの構成例を示すブロック図である。
【００５５】
ホームサーバ１２は、出力部６１、処理部６２、および入力部６３から構成される。
【００５６】
出力部６１は、ＬＥＤ、スピーカ、ブザー、ディスプレイ、およびバイブレータなどから構成される。出力部６１は、処理部６２の指示に従い、ユーザへの通知などを行う。
【００５７】
処理部６２は、通信処理部７１、およびプロセッサ７２から構成される。
【００５８】
通信処理部７１は、センサデバイス１１から送信されたセンサデータまたは設置異常通知データを受信し、プロセッサ７２に供給する。なお、通信処理部７１は、プロセッサ７２から供給される、設置の異常を他の端末に通知するためのデータなどを送信することもできる。
【００５９】
プロセッサ７２は、所定のプログラムを実行することによって各種の演算処理または各部の動作制御などを行い、ホームサーバ１２における中心的な処理装置として動作する。
【００６０】
例えば、プロセッサ７２は、センサデータに基づいて、測定対象の解析を行い、解析結果や測定対象の異常などを出力部６１に通知させる。
【００６１】
プロセッサ７２は、通信処理部７１から供給されるデータがセンサデータであるか否かを判定する。プロセッサ７２は、通信処理部７１から供給されるデータがセンサデータではないと判定した場合、設置の異常の通知を行うように出力部６１を制御する。設置の異常の通知は、センサデータの解析結果の通知や、監視対象の異常の通知などとは異なる表現で行われる。
【００６２】
また、プロセッサ７２は、センサデータまたはセンサ以外のデータが一定の通信周期内に受信されなかった場合も、センサデバイス１１に何らかの異常が生じたとして、設置の異常の通知を行わせる。
【００６３】
例えば、設置の異常の通知において、プロセッサ７２は、出力部６１のＬＥＤを光らせたり、警報音を出させたり、ディスプレイに設置異常であることを表示させたりする。なお、測定対象の異常の通知の場合にも、ＬＥＤを光らせるなどしてもよいが、ユーザが区別できるよう、設置の異常とは異なる表現が用いられる。
【００６４】
設置の異常の通知方法は、設置異常通知データを送信するセンサデバイス１１毎に変更するようにしてもよい。例えば、センサデバイス１１−１の設置の異常の通知方法は、発光のみとし、センサデバイス１１−２の設置の異常の通知方法は、発光と発音とする。発光の点滅パターンや発音の音色はセンサデバイス１１毎に変更されてもよい。ディスプレイを用いる場合、設置の異常を通知したセンサデバイス１１を識別できる内容が表示されるようにしてもよい。
【００６５】
入力部６３は、スイッチ、タッチセンサ、マウス、およびキーボードなどから構成される。
【００６６】
入力部６３は、ユーザの操作に基づいて、センサデバイス１１毎に設置の異常の通知方法の設定について入力を受け付ける。入力部６３は、設置の異常の通知に対するユーザからの応答の入力を受け付ける。
【００６７】
なお、解析結果の通知など、急を要さない内容の通知については、入力部６３に対する入力をトリガとすることで行われるようにしてもよい。
【００６８】
以上の構成要素は、同一筐体に収まっていなくてもよい。例えば、出力部６１がインターネットやWi-Fiを介したスマートフォンなどの携帯端末の出力部で構成されてもよい。同様に、入力部６３が、携帯端末の入力部で構成されてもよい。
【００６９】
また、出力部６１および入力部６３は、複数で構成されてもよい。例えば、複数の出力部６１が、複数のユーザにより使用されたり、１ユーザにより使用されてもよい。複数の入力部６３が、複数のユーザにより使用されたり、１ユーザにより使用されてもよい。この場合、センサデバイス１１毎に出力部６１および入力部６３を選択できるものとする。また、解析結果、測定対象の異常、設置の異常の通知が、それぞれ異なる出力部６１から出力されるようにしてもよい。
【００７０】
＜センサデバイスの動作＞
図６は、センサデバイス１１の処理を説明するフローチャートである。
【００７１】
電源投入後、電源制御部４６は、プロセッサ４２が通常状態で動作可能な電力を供給する。
【００７２】
ステップＳ１１において、プロセッサ４２は、初期化処理を行う。プロセッサ４２は、初期化処理として、タイマ４５に対し、割り込みが定期的に発生するように、割り込みの周期を設定する。
【００７３】
ステップＳ１２において、プロセッサ４２は、異常検出フラグをクリアする。
【００７４】
ステップＳ１３において、プロセッサ４２は、スリープ信号を電源制御部４６に出力し、自身の状態をスリープ状態とする。
【００７５】
はがれ検出機構３２は、固定面から筐体のはがれを検出した場合、はがれ検出信号を割り込みコントローラ４４に出力する。または、タイマ４５は、プロセッサ４２により設定された周期で、割り込みコントローラ４４に対して割り込みを発生させる。
【００７６】
割り込みコントローラ４４は、タイマ４５が割り込みを発生することに応じて、または、はがれ検出機構３２からはがれ検出信号が供給されることに応じて、割り込み信号をプロセッサ４２と電源制御部４６に出力する。
【００７７】
プロセッサ４２は、スリープ状態時、割り込み信号が割り込みコントローラ４４から供給されることに応じてスリープ状態から復帰する。電源制御部４６は、割り込みコントローラ４４からはがれ検出機構３２からはがれ検出信号が供給されることに応じて、プロセッサ４２が通常状態で動作可能な電力を供給する。
【００７８】
プロセッサ４２は、ステップＳ１４において、復帰要因がタイマであるか否かを判定する。
【００７９】
ステップＳ１４において、復帰要因がタイマであると判定された場合、処理は、ステップＳ１５に進む。
【００８０】
ステップＳ１５において、プロセッサ４２は、異常検出フラグがセットされているか否かを判定する。
【００８１】
ステップＳ１５において、異常検出フラグがセットされていないと判定された場合、処理は、ステップＳ１６に進む。
【００８２】
ステップＳ１６において、プロセッサ４２は、通常通信処理を行う。すなわち、プロセッサ４２は、センサデータを通信処理部４３に送信させる。その後、処理は、ステップＳ１３に戻り、それ以降の処理が繰り返される。
【００８３】
ステップＳ１５において、異常検出フラグがセットされていると判定された場合、処理は、ステップＳ１７に進む。
【００８４】
ステップＳ１７において、プロセッサ４２は、異常通知通信処理を行う。すなわち、プロセッサ４２は、設置異常通知データを通信処理部４３に送信させる。その後、処理は、ステップＳ１３に戻り、それ以降の処理が繰り返される。
【００８５】
一方、ステップＳ１４において、復帰要因がタイマではないと判定された場合、処理は、ステップＳ１８に進む。
【００８６】
ステップＳ１８において、プロセッサ４２は、異常検出フラグをセットする。その後、処理は、ステップＳ１３に戻り、それ以降の処理が繰り返される。
【００８７】
以上のように、はがれ検出信号が検出されない場合、タイマ４５が割り込みを発生する毎に、ステップＳ１３乃至Ｓ１６の処理が繰り返される。すなわち、センサデバイス１１は、測定を周期的に行い、センサデータを送信するという動作を繰り返すと同時に、送信後、常にスリープ状態になることで、低電力動作を行うことができる。これにより、長電池寿命を実現することができる。
【００８８】
一方、はがれ検出信号が検出された場合、プロセッサ４２は、異常検出フラグをセットし、再度スリープ状態となる。以降、タイマ４５による割り込みが発生すると、異常検出フラグがセットされているため、センサデータの代わりに、設置異常通知データが送信される。以降、タイマ４５が割り込みを発生する毎に、ステップＳ１３乃至Ｓ１５、およびＳ１７の処理が繰り返される。以上により、センサデバイス１１は、設置状態が変化した以降、設置異常通知データを送信するという動作を繰り返す。
【００８９】
図７は、センサデバイス１１の動作の例を示すタイミングチャートである。
【００９０】
図７の上段に示すように、はがれの発生がない（はがれの発生が検出されない）場合、時刻ｔ１乃至ｔ５のタイミングでセンサデータの通常通信が行われる。
【００９１】
一方、図７の下段の白抜き矢印に示すように時刻ｔ２の後にはがれの発生が検出された場合、それ以降の時刻ｔ３乃至ｔ５のタイミングで、異常通知通信が行われる。
【００９２】
すなわち、はがれの発生が検出された後、異常通知通信は、図７の下段に示されるように、通常通信の時刻ｔ３乃至ｔ５と同じタイミングで行われる。
【００９３】
以上のように、はがれの発生がない場合、センサデータが送信され、はがれの発生が検出されてからは、センサデータの通信のタイミングと同じタイミングで、設置異常通知データが送信される。
【００９４】
＜ホームサーバの動作＞
図８は、ホームサーバ１２の処理を説明するフローチャートである。
【００９５】
上述したように、センサデバイス１１から、センサデータまたは異常通知データが送信されてくる。通信処理部７１は、データを受信し、プロセッサ７２に供給する。
【００９６】
ステップＳ５１において、プロセッサ７２は、一定の通信周期内にデータを受信したか否かを判定する。
【００９７】
ステップＳ５１において、一定の通信周期内にデータを受信したと判定された場合、処理は、ステップＳ５２に進む。
【００９８】
ステップＳ５２において、プロセッサ７２は、通信処理部７１から供給されたデータがセンサデータであるか否かを判定する。
【００９９】
ステップＳ５２において、センサデータではないと判定された場合、処理は、ステップＳ５３に進む。この場合、第１の実施の形態におけるデータは、設置異常通知データであり、後述する第２の実施の形態におけるデータは、電源オン通知データである。
【０１００】
また、ステップＳ５１において、一定の通信周期内にデータを受信していないと判定された場合、処理は、ステップＳ５３に進む。
【０１０１】
ステップＳ５３において、プロセッサ７２は、出力部６１に設置の異常を通知させる。その際、プロセッサ７２は、設置の異常の通知を、センサデータの解析結果の通知とは異なる表現で通知するように出力部６１を制御する。その後、処理は、ステップＳ５１に戻り、それ以降の処理が繰り返される。
【０１０２】
ステップＳ５２において、センサデータであると判定された場合、処理は、ステップＳ５１に戻り、それ以降の処理が繰り返される。
【０１０３】
以上のように、センサデバイス１１から送信されてきたデータが設置異常通知データである場合、ユーザに対して、設置の異常が通知される。
【０１０４】
以上、第１の実施の形態においては、はがれが検出されたことの通知が即時に行われない。これにより、特に、第１の実施の形態によれば、はがれが検出されたことの通知を長時間に渡って送信することができる。また、通常通信を行っている他のセンサデバイスへの通信の影響を小さくすることができる。
【０１０５】
＜２．第２の実施の形態＞
上記説明においては、はがれ検出機構３２を備えるセンサデバイス１１について説明してきた。次に、センサデバイス１１の他の例として、はがれ検出スイッチを備えるセンサデバイス１１について説明する。はがれ検出スイッチは、はがれの検出と電源のスイッチを兼ねる機構である。
【０１０６】
＜センサデバイスの設置例＞
図９は、はがれ検出スイッチを備えるセンサデバイス１１の設置の正常時と異常時の例を示す図である。
【０１０７】
図９のセンサデバイス１１は、設置の正常時、図９のＡに示されるように、両面テープなどの接着部材を用いて、筐体の接着面を、室内の壁などの固定面に貼り付けて設置される。このような設置の正常時、センサデバイス１１は、上述したセンサデータを送信する。
【０１０８】
センサデバイス１１は、設置の異常時、図９のＢに示されるように、固定面から筐体がはがれる。すなわち、センサデバイス１１は、固定面からの筐体のはがれた場合、はがれ検出スイッチがオフ状態になり、センサデバイス１１の電源もオフになる。このような設置の異常時、センサデバイス１１からデータは送信されない。
【０１０９】
また、センサデバイス１１は、設置の他の異常時、図９のＣに示されるように、固定面から筐体がはがれた後、床に落下するなどして、床などの固定面に接着面が密着される。その際、はがれ検出スイッチがオン状態になり、センサデバイス１１の電源がオンとなる。このような設置の他の異常時、センサデバイス１１は、電源オン通知データを１度送信し、その後、上述したセンサデータを送信する。
【０１１０】
センサデバイス１１の設置の異常時、センサデータが全く送信されなくなるので、ホームサーバ１２は、設置の異常をユーザに通知する。また、センサデバイス１１の設置の他の異常時、電源オン通知データの１度だけの送信後、上述したセンサデータが送信されるので、ホームサーバ１２は、設置の異常をユーザに通知する。
【０１１１】
＜センサデバイスの構成例＞
図１０は、図９のセンサデバイス１１の構成例を示すブロック図である。
【０１１２】
図１０に示す構成のうち、図３を参照して説明した構成と同じ構成には同じ符号を付してある。重複する説明については適宜省略する。
【０１１３】
図１０のセンサデバイス１１は、はがれ検出機構３２に代えてはがれ検出スイッチ１１１が設けられ、処理部３３のプロセッサ４２に代えてプロセッサ１２１が設けられている点が、図３のセンサデバイス１１の構成と異なる。
【０１１４】
センサデバイス１１は、センサ３１、はがれ検出スイッチ１１１、および処理部３３から構成される。処理部３３は、センサインターフェイス４１、プロセッサ１２１、通信処理部４３、割り込みコントローラ４４、タイマ４５、および電源制御部４６から構成される。
【０１１５】
はがれ検出スイッチ１１１は、図３のはがれ検出機構３２と異なり、センサデバイス１１の電源スイッチを兼ねている。はがれ検出スイッチ１１１がオフ状態になる場合、センサデバイス１１の電源もオフになる。また、はがれ検出スイッチ１１１が押されてオン状態になる場合、センサデバイス１１の電源もオンになる。
【０１１６】
すなわち、電源が継続的にオンである場合に、電源がオフになる状態が検出されたとき、電源が継続的にオンである正常状態から見ると、異常状態が検出されたときである。同様に、電源が継続的にオンである場合に、電源がオフになってから、電源が再度オンになる状態が検出されたときも、電源が継続的にオンである正常状態から見ると、異常状態が検出されたときである。
【０１１７】
プロセッサ１２１は、図３のプロセッサ４２と同様に、所定のプログラムを実行し、各種の演算処理または各部の動作制御などを行い、センサデバイス１１における中心的な処理装置として動作する。
【０１１８】
プロセッサ１２１は、初期化処理を行う。プロセッサ１２１は、初期化処理後、自身が管理する電源オンフラグをセットする。電源がオンになったことを示すフラグである。電源オンフラグがセットされている場合、そのことは、電源がオンされたことを示す。
【０１１９】
プロセッサ１２１は、電源オンフラグのセットの後、スリープ信号を電源制御部４６に出力し、自身の状態をスリープ状態とする。
【０１２０】
プロセッサ１２１は、スリープ状態時、割り込み信号が割り込みコントローラ４４から供給されることに応じて、スリープ状態から復帰する。プロセッサ１２１は、スリープ状態復帰した後、電源オンフラグの状態を確認する。
【０１２１】
プロセッサ１２１は、電源オンフラグがセットされていない場合、通常通信処理を行う。具体的には、プロセッサ１２１は、センサインターフェイス４１を制御して、センサ３１による測定対象の測定を行わせる。プロセッサ１２１は、センサインターフェイス４１から供給されるセンサデータを、容量がより小さくなるように加工する。プロセッサ１２１は、加工後のセンサデータを、通信処理部４３に出力し、ホームサーバ１２に対して送信させる。
【０１２２】
通信処理部４３による送信の完了後、プロセッサ１２１は、スリープ信号を電源制御部４６に再び出力し、スリープ状態となる。
【０１２３】
プロセッサ１２１は、電源オンフラグがセットされている場合、電源オンフラグをクリアして、電源オン通知データを送信する電源オン通知通信処理を行う。電源オン通知データは、電源がオンしたことを通知するデータである。すなわち、プロセッサ１２１は、加工後のセンサデータの代わりに、電源オン通知データを、通信処理部４３に送信させる。
【０１２４】
電源オン通知通信処理後、プロセッサ１２１は、通常通信処理を行う。
【０１２５】
＜センサデバイスの動作＞
図１１は、図１０のセンサデバイス１１の処理を説明するフローチャートである。
【０１２６】
電源投入後、電源制御部４６は、プロセッサ１２１が通常状態で動作可能な電力を供給する。
【０１２７】
ステップＳ１１１において、プロセッサ１２１は、初期化処理を行う。プロセッサ１２１は、初期化処理において、タイマ４５に対して定期的に割り込みが発生するように周期を設定する。
【０１２８】
ステップＳ１１２において、プロセッサ１２１は、電源オンフラグをセットする。
【０１２９】
ステップＳ１１３において、プロセッサ１２１は、スリープ信号を電源制御部４６に出力し、自身の状態をスリープ状態とする。
【０１３０】
タイマ４５は、プロセッサ１２１により設定された周期で、割り込みコントローラ４４に対して割り込みを発生させる。
【０１３１】
割り込みコントローラ４４は、タイマ４５が割り込みを発生することに応じて、割り込み信号をプロセッサ１２１と電源制御部４６に出力する。
【０１３２】
プロセッサ１２１は、割り込みコントローラ４４から割り込み信号が供給されることに応じて、スリープ状態から復帰する。電源制御部４６は、割り込みコントローラ４４から割り込み信号が供給されることに応じて、プロセッサ１２１が定常な状態で動作可能な電力を供給する。
【０１３３】
ステップＳ１１４において、プロセッサ１２１は、異常検出フラグがセットされているか否かを判定する。
【０１３４】
ステップＳ１１４において、異常検出フラグがセットされていると判定された場合、処理は、ステップＳ１１５に進む。
【０１３５】
ステップＳ１１５において、プロセッサ１２１は、電源オンフラグをクリアする。
【０１３６】
ステップＳ１１６において、プロセッサ１２１は、電源オン通知通信処理を行う。すなわち、プロセッサ１２１は、電源オン通知データを、通信処理部４３に送信させる。その後、処理は、ステップＳ１１７に進む。
【０１３７】
一方、ステップＳ１１４において、異常検出フラグがセットされていないと判定された場合、処理は、ステップＳ１１７に進む。
【０１３８】
ステップＳ１１７において、プロセッサ１２１は、通常通信処理を行う。すなわち、プロセッサ１２１は、センサデータを、通信処理部４３に送信させる。その後、処理は、ステップＳ１１３に戻り、それ以降の処理が繰り返される。
【０１３９】
以上のように、電源オンフラグがセットされていない場合、タイマ４５が割り込みを発生する毎に、ステップＳ１１３、Ｓ１１４、およびＳ１１７の処理が繰り返される。すなわち、センサデバイス１１は、測定を周期的に行い、センサデータを送信するという動作を繰り返すと同時に、送信後、常にスリープ状態になることで、低電力動作を行うことができる。これにより、長電池寿命を実現することができる。
【０１４０】
一方、センサデバイス１１が固定面からはがれるなど、センサ３１の設置状態が変化した場合、はがれ検出スイッチ１１１がオフ状態となり、センサデバイス１１の電源がオフになるため、以降、通信が行われなくなる。
【０１４１】
この場合、受信側においては、一定の通信周期以上待っても通信が来ないことから、センサデバイス１１に何らかの異常が生じたことを察知することができる。
【０１４２】
また、センサデバイス１１がはがれた後、接着しなおされた場合、または脱落の際、接着面が下向きで偶然落下し、はがれ検出スイッチ１１１が押されてオン状態となった場合、その後の最初の通信で、電源オン通知データが送信される。
【０１４３】
この場合、受信側のホームサーバ１２においては、センサデータとは異なる電源オン通知データが受信されるため、センサデバイス１１の設置状態が変化したことを察知することができる。
【０１４４】
なお、ホームサーバ１２の処理については、図８を参照して上述した処理と基本的に同様の処理を行うため、その説明は省略される。
【０１４５】
図１２は、図１０のセンサデバイス１１の動作の例を示すタイミングチャートである。
【０１４６】
図１２の上段に示すように、はがれの発生がない場合、時刻ｔ１１乃至ｔ１５のタイミングでセンサデータの通常通信が行われる。
【０１４７】
一方、図１２の下段の白抜き矢印に示すように時刻ｔ１２の後にはがれの発生が検出された場合、センサデバイス１１の電源がオフされるため、それ以降のタイミングｔ１３以降の通常通信が行われない。
【０１４８】
以上のように、はがれの発生がない場合、センサデータが送信され、はがれの発生が検出された場合、センサデータが送信されなくなるので、受信側で、異常を検出することができる。
【０１４９】
図１３は、図１０のセンサデバイス１１の動作の他の例を示すタイミングチャートである。
【０１５０】
図１３の上段に示すように、はがれの発生がない場合、時刻ｔ２１乃至ｔ２５のタイミングでセンサデータの通常通信が行われる。
【０１５１】
一方、図１３の下段の白抜き矢印に示すように時刻ｔ２２の後にはがれの発生が検出されたが、何らかの要因で、はがれ検出スイッチ１１１が押されて電源がオンとなった場合、電源オン通知通信が行われる。
【０１５２】
図１３の例の場合、時刻ｔ２３の後に、電源オン通知通信が行われ、その後、時刻ｔ２３から遅延Δｔだけ遅い時刻ｔ２３´のタイミングで、通常通信が行われる。時刻ｔ２４から遅延Δｔだけ遅い時刻ｔ２４´のタイミングで、通常通信が行われる。時刻ｔ２５から遅延Δｔだけ遅い時刻ｔ２５´のタイミングで、通常通信が行われる。
【０１５３】
この遅延Δｔは、はがれ検出スイッチ１１１が再度オン状態になるタイミングが、それ以前にオン状態になったタイミングとずれる可能性があることから発生する遅延であり、早くなる場合もあれば、遅くなる場合もある。
【０１５４】
以上のように、はがれの発生がない場合、センサデータが送信され、はがれの発生が検出され、電源がオフされた後、電源が再度オンされた場合、電源オン通知が送信されるので、受信側で、異常を検出することができる。
【０１５５】
なお、本実施の形態におけるセンサであるが、指向性があるセンサ、設置位置に制約があるセンサ、測定対象に接している必要があるセンサに適用するのが好適である。例えば、次の図１４に示すセンサなどがあげられる。ただし、本技術によるはがれ検出機構、または、はがれ検出スイッチは、センサとは独立した機構であり、センサが何であるかには依存するものではない。
【０１５６】
図１４は、本技術に適用されるセンサと特徴の例を示す図である。
【０１５７】
本技術は、上から順に、撮像センサ、赤外式の人感センサ、日照センサ、温度センサ、湿度センサ、降雨センサ、振動センサ、加速度センサ、ガスセンサ、煙センサなどに適用することができる。
【０１５８】
撮像センサは、指向性があるセンサである。撮像センサは、設置位置や向きが観測範囲に直結する。ただし、人間が撮像画像を直接見るようなシステムではなく、撮像画像を画像認識処理などして特定のものを検出するようなシステムでは、認識結果から設置位置や向きが変わったことを知ることは困難である。
【０１５９】
人感センサは、撮像センサほどではないが、指向性があるセンサである。人感センサは、設置位置や向きが観測範囲に影響するが、測定結果から（観測範囲を可視化できないため）、それを知ることは困難である。
【０１６０】
日照センサは、センサが日照方向を向いているか否かの影響を受ける。日照センサは、位置がずれて日陰に入っても影響を受ける。
【０１６１】
温度センサと湿度センサは、方向性があまりない。ただし、温度センサと湿度センサは、設置位置が変わって直射日光に当たる場合など、測定結果が影響を受ける。
【０１６２】
降雨センサは、方式にもよるが、雨滴の電気伝導を利用して降雨を検出するタイプのセンサの場合、センサ面が上を向いている必要がある。
【０１６３】
振動センサは、設置対象の振動を検出するセンサの場合、設置対象から外れると検出できなくなる。振動センサは、はがれかけでも影響を受ける。測定対象が振動することが稀なものである場合、振動が検出されないことをもって脱落判断することは困難である。
【０１６４】
加速度センサ（例えば、ドアにつけて開閉時の加速により開閉を検出するセンサ）は、振動センサ同様に設置対象の加速度を検出するセンサの場合、設置対象から外れると検出できなくなる。
【０１６５】
ガスセンサと煙センサは、測定対象気体の特性（空気より重い・軽い）に応じて設置場所が決まる。例えば、空気より軽いガスを検出するセンサは、天井近くに設置する必要がある。
【０１６６】
＜３．その他＞
＜センサについて＞
センサの測定方法の分類として、以下の３種類があげられる。
（１）何かが起きないことが正常系（何かが起きると異常系）
（２）何かが起きないことが異常系（何かが起きると正常系）
（３）状態把握（起きても起きなくても正常系）
【０１６７】
（２）と（３）のセンサでは、測定結果が異常通知トリガとならないため、例えば、１日１回または１時間に１回などの通知が行われる。
【０１６８】
（１）のセンサでは、異常時だけ通知することも可能である。ただし、何も起きない場合が正常状態であるため、異常を検出していないだけなのか、または、センサが正常に動いていなくて通知できないのかが不明である。したがって、（１）のセンサの場合にも、何もなかったことの通知が定期的に行われるのが望ましい。
【０１６９】
以上により、測定方法の種類によらず、本技術は、定期的な通知を行うことを前提としている。異常通知を行う、または行わないは、排他であり、第１の実施の形態および第２の実施の形態として、それぞれの例を説明した。
【０１７０】
また、背景として、センサデバイスなどのＩｏＴデバイスが世の中に溢れてくると電波の通信帯域が足りなくなってくる。したがって、個々のＩｏＴデバイスが任意のタイミングで通信を行うよりも、それぞれのＩｏＴデバイスが決められたタイミングで通信を行うことで、帯域を時分割でシェアすることが望ましい。
【０１７１】
時分割しない場合、他のデバイスと通信タイミングが重なる恐れがあり、他のデバイスと通信が重なった場合でも、確実な通信を行うために、送信強度を強くすると消費電力も大きくなり、電池寿命が短くなる。
【０１７２】
＜効果＞
本技術においては、所定の時間毎に情報が送信され、スリープ状態からの復帰後、異常状態を検出したか否かを示すフラグが、異常状態を検出していないことを示す場合、設置の正常時に送信する情報が送信される。また、異常状態を検出したことを示す場合、正常時に送信する情報とは異なる情報が送信される。
【０１７３】
したがって、本技術によれば、測定方法の種類によらず、設置状況が変化したことを知ることができる。
【０１７４】
すなわち、本技術によれば、電池で駆動する小型軽量のセンサデバイスの固定方法として、貼り付け型の設置を採用しても、定期的な見回りなどのコストをかけることなく、設置状況が変化し、当初の設置の目的を果たせなくなっていることを知ることができる。
【０１７５】
したがって、設置状況が変化したセンサデバイスを再度設置したり、交換したりすることができる。これにより、センサデバイスが当初の設置の目的を果たせない時間（ダウンタイム）を短縮することができる。
【０１７６】
なお、上記説明において、図１のホーム通信システムは、家庭内に設置される例について説明したが、設置場所は限定されない。ホーム通信システムは、センサデバイスが設置される場所であれば、どこに構築されてもよい。
【０１７７】
本技術は、電池で駆動する小型軽量のセンサデバイスの種類、すなわち、センシング用途であるか否か、センシング用途である場合どのようなセンサを搭載しているかによらず、適用することができる。
【０１７８】
以上、本技術を、センサデバイスを例に説明したが、本技術は、センサを所持しないデバイスにも適用することができる。
【０１７９】
なお、本明細書に記載された効果はあくまで例示であって限定されるものではなく、また他の効果があってもよい。
【０１８０】
＜コンピュータのハードウエア構成例＞
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１８１】
図１５は、上述した一連の処理をプログラムにより実行するコンピュータのハードウエアの構成例を示すブロック図である。
【０１８２】
コンピュータにおいて、ＣＰＵ（Central Processing Unit）３０１，ＲＯＭ（Read Only Memory）３０２、ＲＡＭ（Random Access Memory）３０３は、バス３０４により相互に接続されている。
【０１８３】
バス３０４には、さらに、入出力インタフェース３０５が接続されている。入出力インタフェース３０５には、入力部３０６、出力部３０７、記憶部３０８、通信部３０９、およびドライブ３１０が接続されている。
【０１８４】
入力部３０６は、キーボード、マウス、マイクロフォンなどよりなる。出力部３０７は、ディスプレイ、スピーカなどよりなる。記憶部３０８は、ハードディスクや不揮発性のメモリなどよりなる。通信部３０９は、ネットワークインタフェースなどよりなる。ドライブ３１０は、磁気ディスク、光ディスク、光磁気ディスク、または半導体メモリなどのリムーバブルメディア３１１を駆動する。
【０１８５】
以上のように構成されるコンピュータでは、ＣＰＵ３０１が、例えば、記憶部３０８に記憶されているプログラムを、入出力インタフェース３０５およびバス３０４を介して、RAM３０３にロードして実行することにより、上述した一連の処理が行われる。
【０１８６】
コンピュータ（ＣＰＵ３０１）が実行するプログラムは、例えば、パッケージメディア等としてのリムーバブルメディア３１１に記録して提供することができる。また、プログラムは、ローカルエリアネットワーク、インターネットといった、有線または無線の伝送媒体を介して提供することができる。
【０１８７】
コンピュータでは、プログラムは、リムーバブルメディア３１１をドライブ３１０に装着することにより、入出力インタフェース３０５を介して、記憶部３０８にインストールすることができる。また、プログラムは、有線または無線の伝送媒体を介して、通信部３０９で受信し、記憶部３０８にインストールすることができる。その他、プログラムは、ROM３０２や記憶部３０８に、あらかじめインストールしておくことができる。
【０１８８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８９】
また、本明細書において、システムとは、複数の構成要素（装置、モジュール（部品）等）の集合を意味し、すべての構成要素が同一筐体中にあるか否かは問わない。従って、別個の筐体に収納され、ネットワークを介して接続されている複数の装置、および、１つの筐体の中に複数のモジュールが収納されている１つの装置は、いずれも、システムである。
【０１９０】
なお、本明細書に記載された効果はあくまで例示であって限定されるものでは無く、また他の効果があってもよい。
【０１９１】
本技術の実施の形態は、上述した実施の形態に限定されるものではなく、本技術の要旨を逸脱しない範囲において種々の変更が可能である。
【０１９２】
例えば、本技術は、１つの機能をネットワークを介して複数の装置で分担、共同して処理するクラウドコンピューティングの構成をとることができる。
【０１９３】
また、上述のフローチャートで説明した各ステップは、１つの装置で実行する他、複数の装置で分担して実行することができる。
【０１９４】
さらに、１つのステップに複数の処理が含まれる場合には、その１つのステップに含まれる複数の処理は、１つの装置で実行する他、複数の装置で分担して実行することができる。
【０１９５】
［構成の組み合わせ例］
本技術は、以下のような構成をとることもできる。
（１）
所定の時間毎に情報を送信する送信部と、
スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部と
を備える情報端末。
（２）
前記制御部は、前記スリープ状態からの復帰後、前記異常状態が検出された場合、前記フラグを前記異常状態を検出したことを示すようにセットし、前記スリープ状態に遷移させる
前記（１）に記載の情報端末。
（３）
前記制御部は、前記スリープ状態からの復帰後、前記異常状態が検出されない場合、前記フラグが示す情報に応じて、前記正常時に送信する情報または前記異なる情報を送信させ、前記スリープ状態に遷移させる
前記（２）に記載の情報端末。
（４）
前記異常状態を検出する異常検出部をさらに備え、
前記異常検出部は、固定面に接していた筐体が前記固定面から外れたことを検出するスイッチを有し、前記筐体が前記固定面から外れたことを前記スイッチが検出したときに前記異常状態を検出する
前記（３）に記載の情報端末。
（５）
前記筐体を前記固定面に接着する接着部をさらに備え、
前記接着部は、前記スイッチを取り囲むように設置される
前記（４）に記載の情報端末。
（６）
前記制御部は、前記スリープ状態からの復帰後、前記異常状態を検出したことを示す場合、前記フラグを前記異常状態を検出していないことを示すようにセットし、前記正常時に送信する情報とは異なる情報を送信させてから、前記正常時に送信する情報を送信させ、前記スリープ状態に遷移させる
前記（１）に記載の情報端末。
（７）
前記制御部は、前記スリープ状態からの復帰後、前記異常状態を検出していないことを示す場合、前記正常時に送信する情報を送信させ、前記スリープ状態に遷移させる
前記（６）に記載の情報端末。
（８）
前記異常状態を検出したとき、電源をオフにする異常検出部をさらに備え、
前記異常検出部は、固定面に接していた筐体が前記固定面から外れたときにオフ状態となるスイッチを有し、前記スイッチがオフ状態になったときに前記異常状態を検出して前記電源をオフにし、前記スイッチがオン状態になったときに、前記電源をオンにする
前記（７）に記載の情報端末。
（９）
前記筐体を前記固定面に接着する接着部をさらに備え、
前記接着部は、前記スイッチを取り囲むように設置される
前記（８）に記載の情報端末。
（１０）
測定を行うセンサ部をさらに備え、
前記送信部は、前記正常時に送信する情報として、前記測定により得られたデータに基づいて生成された情報を送信する
前記（１）乃至（９）のいずれかに記載の情報端末。
（１１）
所定の時間毎に情報を送信する送信部と、
スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部と
して、コンピュータを機能させるプログラム。
（１２）
所定の時間毎に情報を送信する送信部と、
スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部とを備える情報端末から送信されてくる前記正常時に送信する情報または前記異なる情報を受信する受信部と、
少なくとも前記異なる情報をユーザに通知させる通知制御部と
を備える情報処理装置。
（１３）
所定の時間毎に情報を送信する送信部と、
スリープ状態からの復帰後、異常状態を検出したか否かを示すフラグが、前記異常状態を検出していないことを示す場合、設置の正常時に送信する情報を送信させ、前記異常状態を検出したことを示す場合、前記正常時に送信する情報とは異なる情報を送信させる制御部とを備える情報端末から送信されてくる前記正常時に送信する情報または前記異なる情報を受信する受信部と、
少なくとも前記異なる情報をユーザに通知させる通知制御部と
して、コンピュータを機能させるプログラム。
【符号の説明】
【０１９６】
１１，１１−１乃至１１−Ｎ  センサデバイス，  １２  ホームサーバ，  １３  ネットワーク，  ３１  センサ，  ３２  はがれ検出機構，  ３３  処理部，  ４１  センサインターフェイス，  ４２  プロセッサ，  ４３  通信処理部，  ４４  割り込みコントローラ，  ４５  タイマ，  ４６  電源制御部，  ５１  筐体，  ５２  接着部材，  ５３  スイッチ，  ６１  出力部，  ６２  入力部，  ６３  処理部，  ７１  通信処理部，  ７２  プロセッサ，  １１１  はがれ検出スイッチ，  １２１  プロセッサ
【図１】
2020071496.tif 000003
【図２】
2020071496.tif 000004
【図３】
2020071496.tif 000005
【図４】
2020071496.tif 000006
【図５】
2020071496.tif 000007
【図６】
2020071496.tif 000008
【図７】
2020071496.tif 000009
【図８】
2020071496.tif 000010
【図９】
2020071496.tif 000011
【図１０】
2020071496.tif 000012
【図１１】
2020071496.tif 000013
【図１２】
2020071496.tif 000014
【図１３】
2020071496.tif 000015
【図１４】
2020071496.tif 000016
【図１５】
2020071496.tif 000017